(57)【特許請求の範囲】
【請求項１】
水平な基礎上に四方を囲って立設した前後左右の外柵内に、該左右の外柵から間隔を置いて該外柵と平行に設けた左右の側壁と、該左右の側壁の上部に載置した墓石とで納骨堂を形成し、前記左右の側壁と前記左右の外柵との間に形成された両空間の上部を覆う踏板とを備えた墓において、
前記両踏板下の空間に面した外柵と側壁の内面の全周に当接板を当てて全周を巡る通風路を形成し、該通風路を形成した左右の外柵及び側壁にそれぞれ少なくとも１箇所の該通風路に開通する通気孔を設けて成り、前記外柵外の外気が前記両通風路を介して前記納骨堂内を通り抜けできるようにしたことを特徴とする墓の下部構造。
【請求項２】
納骨堂に面する後の外柵に通気孔を設けたことを特徴とする請求項１に記載の墓の下部構造。
【請求項３】
納骨堂内空間と各通風路内に一方から他方へ外気が略均等に流れるように各通気孔間の間隔を大きく設けるとともに、前記各通気孔を通風路の各通気孔間部分の長さがそれぞれ略等しくなる位置に配設したことを特徴とする請求項１又は２に記載の墓の下部構造。
【請求項４】
納骨堂内空間と各通風路内に一方から他方へ外気が略均等に流れるように各通風路の各通気孔間部分の径を短区間は小さく、長区間は大きく形成したことを特徴とする請求項１又は２に記載の墓の下部構造。
【請求項５】
各踏板下の通風路を除く空間内に踏板を支える支持壁を設けたことを特徴とする請求項１から４のうちいずれかに記載の墓の下部構造。
【請求項６】
各踏板下の通風路を除く空間内に砂利を充填したことを特徴とする請求項１から５のうちいずれかに記載の墓の下部構造。
【発明の詳細な説明】
【技術分野】
【０００１】
本発明は、上部に墓石を載せ、内部に納骨堂を備え、該納骨堂内を通風換気できるようにした墓の下部構造に関する。
【背景技術】
【０００２】
日本の一般的な墓は、上に墓石を載せ、墓石下の内部に納骨堂を備えた下部構造を有している。
その下部構造は地面に打設した水平なコンクリートなどの基礎面上に石材を組んで設置されている。
このため納骨堂内はコンクリートなどの基礎を介して地面の水分が納骨堂内に侵入し、納骨堂内部の湿度が高くなり、納骨堂の内面や骨壷にカビが生えたり、虫が湧くなどの問題があった。
そこで、納骨堂の側壁面に換気窓を開けて納骨堂内に外気を通気させることによって、湿度を下げようとした構造が提案されている（特許文献１参照）。
また、納骨堂内と納骨堂の周囲の踏板（覆い板）下の空間も同時に外気を通気できるようにした構造も提案されている（特許文献２参照）。
【特許文献１】登録実用新案第３０４２９５０号公報
【特許文献２】特開２００５−１３９８６４号公報
【発明の開示】
【発明が解決しようとする課題】
【０００３】
上記特許文献１の構造は納骨堂内部のみの換気で湿気を低下させることができても納骨堂に隣接した墓石の周囲の覆い板下に形成された空間内の換気はなされず、その空間部分の湿気が高くなり、この空間内の湿気が、納骨堂の側壁面を介して納骨堂内に侵入するので納骨堂内の湿気が充分に低下できない難点があった。
また、特許文献２の構造では踏板下の空間の換気で、納骨堂内の湿気も低下させることができても、前の側壁（開閉扉）に換気孔を設けたものなので正面に納骨堂に繋がる換気孔が見えてしまい見栄え悪い上に見るべきでない納骨堂内の骨壷を見ているような心理が生じるという難点があった。さらに、その構造は踏板下の空間が開放されているので人が踏板に乗るとその踏板が割れてしまう虞があった。
そこで本発明は、外気により外柵及び側壁の内部の全部が効果的に除湿できるようにするとともに墓石の周囲の踏板に人が乗っても割れる虞がない墓の下部構造を提供することを目的とする。
【課題を解決するための手段】
【０００４】
上記課題を解決するため、本発明は、水平な基礎上に四方を囲って立設した前後左右の外柵内に、該左右の外柵から間隔を置いて該外柵と平行に設けた左右の側壁と、該左右の側壁の上部に載置した墓石とで納骨堂を形成し、前記左右の側壁と前記左右の外柵との間に形成された両空間の上部を覆う踏板とを備えた墓において、
前記両踏板下の空間に面した外柵と側壁の内面の全周に当接板を当てて全周を巡る通風路を形成し、該通風路を形成した左右の外柵及び側壁にそれぞれ少なくとも１箇所の該通風路に開通する通気孔を設け、その通気孔から前記外柵外の外気が前記両通風路を介して前記納骨堂内を通り抜けできるようにしたことを特徴とする。
【０００５】
請求項２に記載の発明は、上記構造において、前記納骨堂に面する後の外柵に通気孔を設けたことを特徴とする。
【０００６】
請求項３に記載の発明は、上記各構造において、前記納骨堂内空間と各通風路内に一方から他方へ外気が略均等に流れるように各通気孔間の間隔を大きく設けるとともに、前記各通気孔を通風路の各通気孔間部分の長さがそれぞれ略等しくなる位置に配設したことを特徴とする。
【０００７】
請求項４に記載の発明は、上記各構造において、前記納骨堂内空間と各通風路内に一方から他方へ外気が略均等に流れるように各通風路の各通気孔間部分の径を短区間は小さく、長区間は大きく形成したことを特徴とする。
【０００８】
請求項５に記載の発明は、上記各構造において、前記各踏板下の通風路を除く空間内に踏板を支える支持壁を設けたことを特徴とする。
【０００９】
請求項６に記載の発明は、上記各構造において、前記各踏板下の通風路を除く空間内に砂利を充填したことを特徴とする。
【発明の効果】
【００１０】
本発明の墓の下部構造は、左右の各踏板下の空間に面した左右の側壁と前後左右の外柵の壁面の全周に当接板によって通風路が形成されるので、外柵に設けた通気孔から外柵外の外気が前記各通風路を介して納骨堂内を満遍なく通り抜けて行くことが可能となる。このため、左右の側壁と外柵の全体が外気で通風除湿され、納骨堂内部の湿度を低く抑えておくことが可能となり、この結果、湿気の高さから起こる納骨堂内部のカビや虫の発生がまくなり、納骨堂内や骨壷の汚れを防ぐことが可能となる。
その際、後の外柵にも通気孔を設ければ、その通気孔から納骨堂内へ直接に通気が可能となりより効果的な除湿ができるようになる。
さらに、各通気孔の位置を離したり、通風路の径を短区間は小さく長区間は大きく形成したりすることによって、各通風路内に一方から他方へ外気が略均等に流れるようになり、外柵及び側壁の全体の湿気をムラなく低下させ、納骨堂内のカビや虫の発生が隅々までより効果的に防止できるようになる。
また、左右の各踏板下の空間に砂利を充填したり、支持壁を設けることによってその上に載せた踏板が下から支えられるので、踏板に人が乗っても踏板が割れることがなくなりその補修も不要となるので安心である。
【発明を実施するための最良の形態】
【００１１】
本発明の墓の下部構造の最良の形態を以下詳しく説明する。
本発明は、図１に示すように、墓地にコンクリートなどで水平な基礎Ｋを造り、その基礎Ｋの上に、石製の前後左右の外柵６、７、４、５を四角形に囲って立設する。
その外柵６、７、４、５の内部に左右の外柵４、５から間隔を置いて該左右の外柵４、５と平行に石製の左右の側壁２、３を立設する。
該左右の側壁２、３の上部には墓石１９を載置して、その墓石１９下に納骨堂１を形成する。
墓石１９は、通常、上からさお１９ａ、上台１９ｂ、中台１９ｃ、芝台１９ｃの順に積み重ねて設置される。
そして、前記左右の側壁２、３と前記左右の外柵４、５との間に形成された左右の各空間の上部は、図２及び図３に示すように、その空間を覆う踏板１８、１８を載せて、各踏板下に閉鎖空間が形成される。
【００１２】
その際に、図２に示すように、前記左右の側壁２、３と前記左右の外柵４、５との間に形成れた左右の閉鎖された各空間に面した側壁に沿った全周に断面逆Ｌ字型の当接板１５の水平に突き出した上部の先端を側壁面に当てて両者間に立て長の通風路８、９を形成する。
そして、図４に示すように、各通風路８、９の外柵４、５にはそれぞれ１箇所と各側壁にもそれぞれ１箇所の通気孔１０、１１、１２、１３を設ける。
前記通気孔１０、１１、１２、１３は、図３に示すように、前記納骨堂内空間と各通風路内に一方から他方へ外気が略均等に流れるように間隔を置いて配設し、外柵外からの外気が前記各通風路８、９を介して納骨堂１内を隈なく通り抜けるように形成する。
さらに、図1に示すように、他の墓地が外柵７の背後に接していない場合には、前記納骨堂１に面する後の外柵７に通気孔１４を設けると良い。こうすれば、その通気孔１４から納骨堂１内が直通し、納骨堂１のより効果的な通気が可能となる。
なお、各図では前記各通気孔は外柵４、５及びにはそれぞれ１箇の各通気孔１０、１１、１２、１３、１４を設けた場合を示しているが、それぞれ複数箇所に設けても良い。
【００１３】
前記各通風路８、９の形成は、前記当接板１５によって形成することができるが、他にも、例えば、前記左右の側壁２、３と前記左右の外柵４、５に逆さＵ字型の溝型石材を用いたり、二枚の板を組み合わせたり、金属やプラスチックで形成することも可能である。
そして、図１及び図２に示すように、前記各踏板下の通風路８、９を除く空間内に砂利１６を充填し、前記左右の側壁２、３と前記左右の外柵４、５との間に形成された左右の各空間の上部は、図２に示すように、その空間を覆う踏板１８、１８を載せて、各踏板下の空間を覆う。
【００１４】
前記各踏板下の通風路８、９を除く空間内は、図３に示すように、踏板を支える支持壁１７を中間に複数形成して、上に載せた踏板１８、１８を下から支えるようにすることもできる。その場合、図３に示すように、空洞を残しても良く、さらに空間全部に砂利を充填しても良い（図省略）。こうすれば、載せた踏板が下から支えられるので、踏板に人が乗っても踏板が割れることがなくなる。
【００１５】
以上のように、本発明では、外柵４、５に設けた各通気孔１０、１３から外柵外の外気が各通風路８、９を介して納骨堂１内を満遍なく通り抜けて行くので、左右の側壁２、３と外柵４、５、６、７の全体が外気で除湿され、納骨堂１内部の湿度を低く抑えることが可能となり、納骨堂１内部のカビや虫の発生を防止でき、納骨堂１の保全や骨壷Ｔの汚れ防止が実現する。
【００１６】
また、本発明では、前の外柵６即ち納骨堂１の正面からの通気孔がなくても、通風性を充分に得られるようになっている。
そして、一方から他方へ外気が略均等に流れるようにするために、一つの手法として、図４に示すように、通風路８、９の径が均一の場合には、前記納骨堂１内空間と各通風路８、９内に各通風路８、９も開口した各通気孔１０、１１、１２、１３間の各部分の分岐する通風路の長さが同じになる位置に各通気孔１０、１１、１２、１３を配設すると良い。
その分岐する通風路の長さが同じになる位置としては、図５に示すように、前記通気孔１０、１１、１２、１３、１４の位置は、（イ）に示す前記納骨堂１に面する後の外柵１４に通気孔を設けた形態と、（ロ）に示す通気孔を外柵７側に寄せた形態と、（ニ）に示す通気孔を中央側に寄せた形態などが可能である。
【００１７】
またこれとは別の手法として、前記通気孔１０、１１、１２、１３位置が、各通風路８、９の各通気孔間部分を異なるとうに配した場合では、図６に示すように、長区間8ａ、９ａでは通風路８、９の径を大きく、短区間８ｂ、９ｂでは小さく形成する。
これで外気の流れが短区間８ｂ、９ｂ側の通風路に偏ることが解消され、一方から他方へ外気が略均等に流れるようになる。
【００１８】
実際には墓地の地形や、隣接する墓地との関係で、外柵７側の通気孔１０、１３位置が自由に設けられない場合があるが、本発明では、通気孔１０、１３の位置は上記各種バリエーションの採用により広範囲に対応することが可能になる。
なお、前記各通気孔１０、１１、１２、１３、１４は防虫網を装着して覆うと、納骨堂１内にごみや虫が進入するのを防止できるので好ましい。
また、本発明では、前記納骨堂１の正面となる前の外柵６には通気孔は全く設けないことが大きな特徴であるが、これは外柵６には通気孔を設けると墓の正面に通気孔を開けなければならず、墓の正面に納骨堂に繋がる換気孔見えてしまうと、見栄え悪いのみならず、納骨堂内の骨壷Ｔを見ているような心理的に抵抗が生じるのを解消するためである。
しかし従来の納骨堂換気型の墓では換気効果のみのを考慮するあまり、宗教施設のわりには心理的な配慮がなく、実際に採用されることが少なかった。
本発明では、前の外柵６には通気孔は設けないことで心理的な面の配慮をすることで通気孔の設置位置はその分通前の外柵に一面では通気することができないマイナス面があるが、各通気孔の設置を上記の如く各種条件に対応させて配置することで前記左右の側壁２、３と前記左右の外柵４、５の内部全面に外気が一方から他方へ効率良く流れるようにできるので墓の下部構造の全体を通風乾燥させることが可能となる。
この結果、納骨堂１内部の湿度をこれまでよりの格段に低く抑えることが可能となり、納骨堂１内部のカビや虫の発生を防止できるようになった。
【産業上の利用可能性】
【００１９】
本発明は日本の一般的な墓の構造に用いられるが、このほかにも同じような空間構成の納骨堂を備えた墓であれば利用可能である。
【図面の簡単な説明】
【００２０】
【図１】本発明の墓の下部構造の縦断側面図である。
【図２】本発明の踏板下空間を砂利詰した形態の縦断斜視図である。
【図３】踏板下空間に支持板を配設した形態の縦断斜視図である。
【図４】各通風路の風の流れを示す平面図である。
【図５】（イ）が前記納骨堂に面する後の外柵に通気孔を設けた形態、（ロ）は通気孔を外柵側に寄せた形態、（ニ）は通気孔を中央側に寄せた形態を示す各水平断面図である。
【図６】異径の通風路の形態を示す水平断面図である。
【符号の説明】
【００２１】
１    納骨堂
２    左の側壁
３    右の側壁
４    左の外柵
５    右の外柵
６    前の外柵
７    後の外柵
８    通風路
８ａ  長区間の通風路
８ｂ  短区間の通風路
９    通風路
９ａ  長区間の通風路
９ｂ  短区間の通風路
１０  通気孔
１０  通気孔
１１  通気孔
１２  通気孔
１３  通気孔
１４  後の外柵の通気孔
１５  当接板
１６  砂利
１７  支持壁
１８  踏板
１９  墓石
１９ａ  さお
１９ｂ  上台
１９ｃ  中台
１９ｃ  芝台
Ｋ      基礎
【図１】
0004411286.tif 000002
【図２】
0004411286.tif 000003
【図３】
0004411286.tif 000004
【図４】
0004411286.tif 000005
【図５】
0004411286.tif 000006
【図６】
0004411286.tif 000007